(57)【要約】【課題】被操作部材の取り付け位置に関して自由度の高いルーバーユニット、該ルーバーユニットを備えた窓ユニットを提供する。【解決手段】回動軸を有し回動することにより開閉可能なルーバー羽根、を上下方向に複数備えた第一ルーバー部と、移動することにより、前記第一ルーバー部に設けられた複数の前記ルーバー羽根の各々を連動させて複数の該ルーバー羽根を一体的に開閉させるための移動部材と、該第一ルーバー部よりも上方又は下方に位置する第二ルーバー部であって、前記ルーバー羽根を上下方向に複数備えた第二ルーバー部と、を有するルーバーユニットであって、前記第二ルーバー部に設けられた前記ルーバー羽根の前記回動軸に取り付けられており、操作されることにより該回動軸に対して空回りして、前記移動部材を移動させるための被操作部材、を備える。【選択図】図３
2008144445.tif 000002
【特許請求の範囲】
【請求項１】
回動軸を有し回動することにより開閉可能なルーバー羽根、を上下方向に複数備えた第一ルーバー部と、
移動することにより、前記第一ルーバー部に設けられた複数の前記ルーバー羽根の各々を連動させて複数の該ルーバー羽根を一体的に開閉させるための移動部材と、
該第一ルーバー部よりも上方又は下方に位置する第二ルーバー部であって、前記ルーバー羽根を上下方向に複数備えた第二ルーバー部と、
を有するルーバーユニットであって、
前記第二ルーバー部に設けられた前記ルーバー羽根の前記回動軸に取り付けられており、操作されることにより該回動軸に対して空回りして、前記移動部材を移動させるための被操作部材、
を備えることを特徴とするルーバーユニット。
【請求項２】
請求項１に記載のルーバーユニットであって、
前記第二ルーバー部は、前記第一ルーバー部よりも下方に位置し、
前記移動部材及び前記被操作部材は、第一移動部材及び第一被操作部材であり、
移動することにより、前記第二ルーバー部に設けられた複数の前記ルーバー羽根の各々を連動させて複数の該ルーバー羽根を一体的に開閉させるための第二移動部材と、
前記第二ルーバー部に設けられた前記ルーバー羽根の前記回動軸に取り付けられており、操作されることにより該回動軸を回動させながら回って、前記第二移動部材を移動させるための第二被操作部材と、を備えることを特徴とするルーバーユニット。
【請求項３】
請求項２に記載のルーバーユニットであって、
前記第一被操作部材は、前記第二被操作部材が取り付けられている前記ルーバー羽根、に取り付けられていることを特徴とするルーバーユニット。
【請求項４】
請求項３に記載のルーバーユニットであって、
前記第二被操作部材は、
前記ルーバー羽根の長手方向における該ルーバー羽根の羽根本体の両外側部、のうちのどちらか一方の外側部に取り付けられており、
前記第一被操作部材は、前記両外側部のうち前記第二被操作部材が取り付けられている方の外側部に取り付けられていることを特徴とするルーバーユニット。
【請求項５】
回動軸を有し回動することにより開閉可能なルーバー羽根、を上下方向に複数備えた第一ルーバー部と、移動することにより、前記第一ルーバー部に設けられた複数の前記ルーバー羽根の各々を連動させて複数の該ルーバー羽根を一体的に開閉させるための移動部材と、該第一ルーバー部よりも上方又は下方に位置する第二ルーバー部であって、前記ルーバー羽根を上下方向に複数備えた第二ルーバー部と、を有するルーバーユニットと、    
該ルーバーユニットに取り付けられた窓と、を備えた窓ユニットであって、
前記第二ルーバー部に設けられた前記ルーバー羽根の前記回動軸に取り付けられており、操作されることにより該回動軸に対して空回りして、前記移動部材を移動させるための被操作部材、
を備えることを特徴とする窓ユニット。
【発明の詳細な説明】
【技術分野】
【０００１】
本発明は、ルーバーユニット、及び、窓ユニットに関する。
【背景技術】
【０００２】
開閉可能なルーバー羽根を複数備えたルーバーユニットは、既によく知られている。かかるルーバーユニットの中には、二つのルーバー部、すなわち、回動軸を有し回動することにより開閉可能なルーバー羽根、を上下方向に複数備えた第一ルーバー部と、該第一ルーバー部よりも上方又は下方に位置する第二ルーバー部であって、ルーバー羽根を上下方向に複数備えた第二ルーバー部と、を有するものがある。そして、第一ルーバー部のルーバー羽根の開閉を実現するために、ルーバーユニットには、移動することにより、第一ルーバー部に設けられた複数のルーバー羽根の各々を連動させて複数の該ルーバー羽根を一体的に開閉させるための移動部材と、操作されることにより移動部材を移動させるための被操作部材、とが設けられている（例えば、特許文献１参照）。
【０００３】
また、この被操作部材は、部品点数の削減やスペース節約の観点から、ルーバー羽根の回動軸に取り付けられることが望ましく、上記ルーバーユニットの中には、当該回動軸に取り付けられている被操作部材を備えたものがある。そして、従来、当該被操作部材は、第一ルーバー部に設けられたルーバー羽根の回動軸に取り付けられていた。
【特許文献１】特開２００１−１５２７５９号公報
【発明の開示】
【発明が解決しようとする課題】
【０００４】
第一ルーバー部のルーバー羽根の開閉を実現するための被操作部材が、第一ルーバー部に設けられたルーバー羽根の回動軸に取り付けられているルーバーユニットには、以下の課題があった。すなわち、被操作部材の上下方向における取り付け位置は、第一ルーバー部の最上部にあるルーバー羽根の位置から最下部にあるルーバー羽根の位置までの範囲に限定されるため、当該取り付け位置について、自由度が少ないという問題があった。例えば、第一ルーバー部が高い位置にある場合には、当該自由度の少なさが原因となって、被操作部材が大人にしか操作できない位置に設けられ、子供が被操作部材を操作できない等の不都合が生じていた。
【０００５】
本発明は、かかる課題に鑑みてなされたものであり、その目的とするところは、被操作部材の取り付け位置に関して自由度の高いルーバーユニット、該ルーバーユニットを備えた窓ユニットを提供することにある。
【課題を解決するための手段】
【０００６】
かかる目的を達成するために本発明のルーバーユニットは、回動軸を有し回動することにより開閉可能なルーバー羽根、を上下方向に複数備えた第一ルーバー部と、移動することにより、前記第一ルーバー部に設けられた複数の前記ルーバー羽根の各々を連動させて複数の該ルーバー羽根を一体的に開閉させるための移動部材と、該第一ルーバー部よりも上方又は下方に位置する第二ルーバー部であって、前記ルーバー羽根を上下方向に複数備えた第二ルーバー部と、を有するルーバーユニットであって、前記第二ルーバー部に設けられた前記ルーバー羽根の前記回動軸に取り付けられており、操作されることにより該回動軸に対して空回りして、前記移動部材を移動させるための被操作部材、を備えることを特徴とするルーバーユニットである。
【０００７】
かかる場合には、被操作部材の取り付け位置に関して自由度の高いルーバーユニットが実現される。
【０００８】
かかるルーバーユニットであって、前記第二ルーバー部は、前記第一ルーバー部よりも下方に位置し、前記移動部材及び前記被操作部材は、第一移動部材及び第一被操作部材であり、移動することにより、前記第二ルーバー部に設けられた複数の前記ルーバー羽根の各々を連動させて複数の該ルーバー羽根を一体的に開閉させるための第二移動部材と、前記第二ルーバー部に設けられた前記ルーバー羽根の前記回動軸に取り付けられており、操作されることにより該回動軸を回動させながら回って、前記第二移動部材を移動させるための第二被操作部材と、を備えることが望ましい。  
このようなルーバーユニットによれば、例えば、大人だけでなく子供でも第一被操作部材や第二被操作部材を操作することが可能となる。
【０００９】
かかるルーバーユニットであって、前記第一被操作部材は、前記第二被操作部材が取り付けられている前記ルーバー羽根、に取り付けられていることが望ましい。  
このようなルーバーユニットによれば、上下方向（高さ方向）において最も理想的な位置に、第一被操作部材と第二被操作部材の双方を位置させることができる。
【００１０】
かかるルーバーユニットであって、前記第二被操作部材は、前記ルーバー羽根の長手方向における該ルーバー羽根の羽根本体の両外側部、のうちのどちらか一方の外側部に取り付けられており、前記第一被操作部材は、前記両外側部のうち前記第二被操作部材が取り付けられている方の外側部に取り付けられていることが望ましい。  
このようなルーバーユニットによれば、上下方向（高さ方向）だけでなく上下方向に交差する交差方向（左右方向）においても最も理想的な位置に、第一被操作部材と第二被操作部材の双方を位置させることができる。
【００１１】
また、かかる目的を達成するために本発明の窓ユニットは、回動軸を有し回動することにより開閉可能なルーバー羽根、を上下方向に複数備えた第一ルーバー部と、移動することにより、前記第一ルーバー部に設けられた複数の前記ルーバー羽根の各々を連動させて複数の該ルーバー羽根を一体的に開閉させるための移動部材と、該第一ルーバー部よりも上方又は下方に位置する第二ルーバー部であって、前記ルーバー羽根を上下方向に複数備えた第二ルーバー部と、を有するルーバーユニットと、該ルーバーユニットに取り付けられた窓と、を備えた窓ユニットであって、前記第二ルーバー部に設けられた前記ルーバー羽根の前記回動軸に取り付けられており、操作されることにより該回動軸に対して空回りして、前記移動部材を移動させるための被操作部材、を備えることを特徴とする窓ユニットである。
【００１２】
かかる場合には、被操作部材の取り付け位置に関して自由度の高いルーバーユニットを備えた窓ユニットが実現される。
【発明の効果】
【００１３】
本発明によれば、被操作部材の取り付け位置に関して自由度の高いルーバーユニット、該ルーバーユニットを備えた窓ユニットを提供することができるという効果がある。
【発明を実施するための最良の形態】
【００１４】
以下、本発明の一実施形態に係る窓ユニット１０及びルーバーユニット２０について図１〜図８Ｃを参照して説明する。
【００１５】
窓ユニット１０は、図１に示すように、ルーバー羽根３０を複数備えたルーバーユニット２０と窓１２とを備えている。本実施の形態に係る窓１２は、公知の窓であり、ルーバーユニット２０に取り付けられている。そして、窓１２は、ルーバーユニット２０よりも室内側に設けられている。
【００１６】
ルーバーユニット２０は、図２に示すように、上枠２６ａ、下枠２６ｂ、及び、縦枠２６ｃ、２６ｄを備えたルーバー枠２６と開閉可能なルーバー羽根３０とを有しており、ルーバー枠２６内において、横長形状のルーバー羽根３０が上下方向に多段状に配設されている。本実施の形態においては、２０枚のルーバー羽根３０が、その各々の長手方向が上枠２６ａや下枠２６ｂの長手方向に沿うように設けられており、これらのルーバー羽根３０の各々は、ルーバー枠２６のうちの縦枠２６ｃ、２６ｄに開閉自在に支持されている。
【００１７】
より具体的には、ルーバー羽根３０は、図３等に示すように、羽根本体３０ａと当該羽根本体３０ａ内に挿入された回動軸３０ｂとを備えている。そして、ルーバー羽根３０は、回動軸３０ｂと羽根本体３０ａとが一体的に回動することにより、開閉可能となっている。なお、回動軸３０ｂは、不図示の軸支持部により回動可能に支持されている。
【００１８】
また、本実施の形態に係るルーバーユニット２０は、いわゆる上下分割可動タイプのルーバーユニットである。すなわち、ルーバーユニット２０は、図２に示すように、開閉可能なルーバー羽根３０を上下方向に５枚備えた第一ルーバー部２２と、当該ルーバー羽根３０を上下方向に１５枚備え、第一ルーバー部２２よりも下方に位置する第二ルーバー部２４と、を有している。そして、第一ルーバー部２２に設けられた５枚のルーバー羽根３０は、各々が連動することにより一体的に開閉し、第二ルーバー部２４に設けられた１５枚のルーバー羽根３０は、各々が連動することにより一体的に開閉できるようになっている。また、当該５枚のルーバー羽根３０と、当該１５枚のルーバー羽根３０とは、互いに独立して開閉できるようになっている。なお、図１及び図２には、第一ルーバー部２２に設けられた５枚のルーバー羽根３０の各々が全開し（開き角９０度）、第二ルーバー部２４に設けられた１５枚のルーバー羽根３０の各々が全閉している（開き角度０度）状態が示されている。
【００１９】
次に、ルーバー羽根３０を開閉させるための開閉機構について、主に図３〜図８Ｃを参照して説明する。なお、以下では、説明の都合上、２０枚のルーバー羽根３０の各々を、上から順番に、第１ルーバー羽根３０、・・・、第２０ルーバー羽根３０とも呼ぶこととする。また、図３の右図は、図３の左図を白矢印が示す方向から見たときの図である。
【００２０】
本実施の形態に係るルーバーユニット２０は、当該開閉機構として、第一ルーバー部２２に設けられた５枚のルーバー羽根３０を開閉させるための第一開閉機構である第一移動部材４０及び第一被操作部材５０と、第二ルーバー部２４に設けられた１５枚のルーバー羽根３０を開閉させるための第二開閉機構である第二移動部材４５及び第二被操作部材５５と、を備えており、これらの部材は、ルーバー羽根３０の長手方向における当該ルーバー羽根３０の羽根本体３０ａの両外側部３２、のうちの一方の外側部３２ａ（図２において、右外側部）に位置している。以下では、先ず、第二開閉機構について説明し、これに引き続いて、第一開閉機構について説明する。
【００２１】
第二移動部材４５は、上下方向に移動することにより、第二ルーバー部２４に設けられた１５枚のルーバー羽根３０の各々を連動させて１５枚の当該ルーバー羽根３０を一体的に開閉させるものである。この第二移動部材４５は、図３及び図４に示すように、上下方向において第６ルーバー羽根３０に対応する位置から第２０ルーバー羽根３０に対応する位置に亘って、設けられた長尺状の平板であり、１５枚のルーバー羽根３０の各々が当該第二移動部材４５に取り付けられている。  
より具体的に説明すると、各々のルーバー羽根３０の回動軸３０ｂには、当該回動軸３０ｂの軸方向と交差する交差方向に延出したアーム部３４が固定されており、当該アーム部３４の先端には、その突出方向が前記回動軸３０ｂの軸方向に沿い、かつ、アーム部本体３４ａから外側へ突出した突出部３４ｂ、が設けられている。また、第二移動部材４５には、各々のルーバー羽根３０に対応する位置に、計１５個の穴部４５ａが備えられており、当該穴部４５ａに前記突出部３４ｂが挿通されている。そして、突出部３４ｂは、穴部４５ａに対して相対回動可能となっており（すなわち、突出部３４ｂは穴部４５ａに固定されていない）、第二移動部材４５が上下方向に移動すると（厳密には、第二移動部材４５は、上下方向に移動しつつ、該上下方向と交差する方向、すなわち、図３の右図において左右方向、に僅かに移動する）、突出部３４ｂが当該第二移動部材４５により押されることにより、該突出部３４ｂが穴部４５ａに対して相対回動しつつアーム部３４及び回動軸３０ｂが回動する。そして、かかる回動軸３０ｂの回動によりルーバー羽根３０が開閉するようになっている。なお、第二移動部材４５が上下方向に移動すると、１５枚のルーバー羽根３０の各々に対応した１５個の突出部３４ｂが一斉に押されることとなるから、１５枚のルーバー羽根３０の各々が連動して、当該１５枚のルーバー羽根３０が一体的に開閉することとなる。また、突出部３４ｂの先端には、突出部３４ｂが穴部４５ａから抜けることを防止するための抜け止め部３４ｃが備えられている。
【００２２】
第二被操作部材５５は、ルーバーユニット２０の取り扱い者（以下、単に、ユーザーと呼ぶ）によって操作されることにより、前記第二移動部材４５を移動させる機能を発揮する。この第二被操作部材５５は、図３及び図４に示すように、操作されることにより回る円盤状のダイヤルであり、当該ダイヤルの円周面には、ユーザーが当該円周面に触れてダイヤルを回す際に当該ダイヤルを回しやすくするために、周方向と交差する方向に沿った溝が周方向において等間隔に多数設けられている。第二被操作部材５５は、第二ルーバー部２４に設けられたルーバー羽根３０（本実施の形態においては、第１７ルーバー羽根３０）の回動軸３０ｂに取り付けられている。
【００２３】
より具体的に説明すると、第二被操作部材５５は、第１７ルーバー羽根３０の長手方向における当該第１７ルーバー羽根３０の羽根本体３０ａの両外側部３２、のうちの一方の外側部３２ａ（図２において、右外側部）に取り付けられている。また、本実施の形態においては、第二被操作部材５５が、当該回動軸３０ｂの中心軸が第二被操作部材５５の中心軸と一致するように当該回動軸３０ｂに固定されると共に、当該第二被操作部材５５が前述した抜け止め部３４ｃの機能を兼ね備えるように、前記突出部３４ｂの先端が、第二被操作部材５５の、径方向において円周面及び中心軸のうち円周面により近い部分、に固着されている。
【００２４】
そのため、第二被操作部材５５は、当該第二被操作部材５５が操作されると、第１７ルーバー羽根３０の回動軸３０ｂ及び当該回動軸３０ｂから延出した前記アーム部３４を回動させながら回ることとなる。すると、第二移動部材４５が当該アーム部３４により押されて、上下方向に移動する。そして、この第二移動部材４５の移動により、１５枚のルーバー羽根３０の各々が連動して、当該１５枚のルーバー羽根３０が一体的に開閉することとなる。
【００２５】
図７Ａ〜図７Ｃには、第二被操作部材５５が操作されることにより、１５枚のルーバー羽根３０が一体的に開く様子が示されている。第二ルーバー部２４に設けられた１５枚のルーバー羽根３０の各々が全閉（開き角０度）である図７Ａの状態において、第二被操作部材５５が反時計方向に回るように操作されると、当該１５枚のルーバー羽根３０は、やがて、開き角が約４５度である図７Ｂの状態へ移行する。そして、さらに、第二被操作部材５５が反時計方向に回るように操作されると、１５枚のルーバー羽根３０の各々が全開（開き角９０度）である図７Ｃの状態へ移行する。なお、本実施の形態において、第二ルーバー部２４に設けられた１５枚のルーバー羽根３０の開き角の設定可能範囲は、０度から１５５度までの範囲となっている。
【００２６】
第一移動部材４０は、上下方向に移動することにより、第一ルーバー部２２に設けられた５枚のルーバー羽根３０の各々を連動させて５枚の当該ルーバー羽根３０を一体的に開閉させるものである。この第一移動部材４０は、図３及び図４に示すように、上下方向において第１ルーバー羽根３０に対応する位置から第１７ルーバー羽根３０に対応する位置に亘って、設けられた長尺状の平板であり、５枚のルーバー羽根３０の各々が当該第一移動部材４０に取り付けられている。  
より具体的に説明すると、第二ルーバー部２４に設けられたルーバー羽根３０と同様、第一ルーバー部２２に設けられた各々のルーバー羽根３０の回動軸３０ｂには、当該回動軸３０ｂの軸方向と交差する交差方向に延出したアーム部３４が固定されており、当該アーム部３４の先端には、その突出方向が前記回動軸３０ｂの軸方向に沿い、かつ、アーム部本体３４ａから外側へ突出した突出部３４ｂ、が設けられている。また、第一移動部材４０には、各々のルーバー羽根３０に対応する位置に、計５個の穴部４０ａが備えられており、当該穴部４０ａに前記突出部３４ｂが挿通されている。そして、突出部３４ｂは、穴部４０ａに対して相対回動可能となっており、第一移動部材４０が上下方向に移動すると、突出部３４ｂが当該第一移動部材４０により押されることにより、該突出部３４ｂが穴部４０ａに対して相対回動しつつアーム部３４及び回動軸３０ｂが回動する。そして、かかる回動軸３０ｂの回動によりルーバー羽根３０が開閉するようになっている。なお、第一移動部材４０が上下方向に移動すると、５枚のルーバー羽根３０の各々に対応した５個の突出部３４ｂが一斉に押されることとなるから、５枚のルーバー羽根３０の各々が連動して、当該５枚のルーバー羽根３０が一体的に開閉することとなる。
【００２７】
第一被操作部材５０は、ユーザーによって操作されることにより、前記第一移動部材４０を移動させる機能を発揮する。この第一被操作部材５０も、図３及び図４に示すように、第二被操作部材５５と同様、操作されることにより回る円盤状のダイヤルであり、当該ダイヤルの円周面には、周方向と交差する方向に沿った溝が周方向において等間隔に多数設けられている。
【００２８】
第一被操作部材５０は、第二ルーバー部２４に設けられたルーバー羽根３０（本実施の形態においては、第二被操作部材５５が取り付けられているルーバー羽根３０、すなわち、第１７ルーバー羽根３０）の回動軸３０ｂに取り付けられている。つまり、第二ルーバー部２４についての開閉機構である第二被操作部材５５が、第二ルーバー部２４のルーバー羽根３０に取り付けられていたのに対し、第一ルーバー部２２の開閉機構である第一被操作部材５０は、第二ルーバー部２４のルーバー羽根３０に取り付けられていることとなる。
【００２９】
より具体的に説明すると、第一被操作部材５０は、第１７ルーバー羽根３０の長手方向における当該第１７ルーバー羽根３０の羽根本体３０ａの両外側部３２、のうちの一方の外側部３２ａ（図２において、右外側部）に取り付けられており、かつ、第二被操作部材５５よりも外側に位置している。また、本実施の形態において、第一被操作部材５０は、第二被操作部材５５と同様、第１７ルーバー羽根３０の回動軸３０ｂの中心軸が第一被操作部材５０の中心軸と一致するように当該回動軸３０ｂに取り付けられているが、第二被操作部材５５とは異なり、該回動軸３０ｂには固定されていない。すなわち、第一被操作部材５０は、該回動軸３０ｂに対し相対回転自在に取り付けられた軸部５０ｂを有し、該回動軸３０ｂに対し空回り可能となっている。
【００３０】
また、軸部５０ｂには、第一被操作部材５０の本体部５０ａ（すなわち、円盤状の部分）よりも内側に位置し当該軸部５０ｂの軸方向と交差する交差方向に延出したアーム部５７、が固定されており、当該アーム部５７の先端には、その突出方向が前記軸部５０ｂの軸方向に沿い、かつ、アーム部本体５７ａから外側へ突出した突出部５７ｂ、が設けられている。また、前述したとおり、第一移動部材４０は、上下方向において第１ルーバー羽根３０に対応する位置から第１７ルーバー羽根３０に対応する位置に亘って、設けられており、当該第一移動部材４０には、第１７ルーバー羽根３０に対応する位置にも、穴部４０ｂが備えられている。そして、当該穴部４０ｂに前記突出部５７ｂが挿通されており、突出部５７ｂは、当該穴部４０ｂに対して相対回動可能となっている（すなわち、突出部５７ｂは穴部４０ｂに固定されていない）。なお、突出部５７ｂの先端は、第一被操作部材５０が前述した抜け止め部３４ｃの機能を兼ね備えるように、第一被操作部材５０の本体部５０ａの、径方向において円周面及び中心軸のうち円周面により近い部分、に固着されている。
【００３１】
以上のことから、第一被操作部材５０は、当該第一被操作部材５０が操作されると、第１７ルーバー羽根３０の回動軸３０ｂに対して空回りする一方で、前記アーム部５７を回動させることとなる。すると、第一移動部材４０が、当該アーム部５７により押されて（かかる際に、突出部５７ｂが穴部４０ｂに対して相対回動する）、上下方向に移動する。そして、この第一移動部材４０の移動により、第一ルーバー部２２に設けられた５枚のルーバー羽根３０の各々が連動して、当該５枚のルーバー羽根３０が一体的に開閉することとなる。
【００３２】
なお、図８Ａ〜図８Ｃには、第一被操作部材５０が操作されることにより、５枚のルーバー羽根３０が一体的に開く様子が示されている。第一ルーバー部２２に設けられた５枚のルーバー羽根３０の各々が全閉（開き角０度）である図８Ａの状態において、第一被操作部材５０が反時計方向に回るように操作されると、当該５枚のルーバー羽根３０は、やがて、開き角が約４５度である図８Ｂの状態へ移行する。そして、さらに、第一被操作部材５０が反時計方向に回るように操作されると、５枚のルーバー羽根３０の各々が全開（開き角９０度）である図８Ｃの状態へ移行する。なお、本実施の形態において、第一ルーバー部２２に設けられた５枚のルーバー羽根３０の開き角の設定可能範囲は、０度から１５５度までの範囲となっている。
【００３３】
また、図５及び図６に示すように、上述した第一移動部材４０、第二移動部材４５、第一被操作部材５０、及び、第二被操作部材５５は、総て、前述した縦枠２６ｄの内部に収容されている。すなわち、縦枠２６ｄの断面は略矩形形状であり、縦枠２６ｄは、該縦枠２６ｄの枠体２７の３つの面２７ａ、２７ｂ、２７ｃに囲まれた中空部２８を備えている（なお、４つめの面、すなわち、ルーバー羽根３０から最も遠い位置に位置する面、は存在せず、この箇所は開放部２７ｄとなっている）。そして、当該中空部２８に上記４つの部材が位置している。
【００３４】
次に、本実施の形態に係るルーバーユニット２０、及び、当該ルーバーユニット２０を備えた窓ユニット１０の優位性について説明する。上述したとおり、本実施の形態に係るルーバーユニット２０は、回動軸３０ｂを有し回動することにより開閉可能なルーバー羽根３０、を上下方向に複数備えた第一ルーバー部２２と、移動することにより、前記第一ルーバー部２２に設けられた複数の前記ルーバー羽根３０の各々を連動させて複数の該ルーバー羽根３０を一体的に開閉させるための第一移動部材４０と、該第一ルーバー部２２よりも上方又は下方に位置する第二ルーバー部２４であって、前記ルーバー羽根３０を上下方向に複数備えた第二ルーバー部２４と、を有するルーバーユニット２０であって、前記第二ルーバー部２４に設けられた前記ルーバー羽根３０の前記回動軸３０ｂに取り付けられており、操作されることにより該回動軸３０ｂに対して空回りして、前記第一移動部材４０を移動させるための第一被操作部材５０、を備えるルーバーユニットである。このことにより、第一被操作部材５０の取り付け位置に関して自由度の高いルーバーユニット２０、該ルーバーユニット２０を備えた窓ユニット１０が提供されることとなる。
【００３５】
すなわち、背景技術の項等で説明したとおり、第一被操作部材は、部品点数の削減（例えば、第一被操作部材を取り付けるための専用取り付け部材を導入しないで済む）やスペース節約（例えば、前記専用取り付け部材のためのスペースが節約される）の観点から、ルーバー羽根の回動軸に取り付けられることが望ましく、ルーバーユニットの中には、当該回動軸に取り付けられている第一被操作部材を備えたものがある。そして、従来、当該第一被操作部材は、第一ルーバー部に設けられたルーバー羽根の回動軸に取り付けられていた。
【００３６】
しかしながら、第一ルーバー部のルーバー羽根の開閉を実現するための第一被操作部材が、第一ルーバー部に設けられたルーバー羽根の回動軸に取り付けられているルーバーユニットには、以下の課題があった。すなわち、第一被操作部材の上下方向における取り付け位置は、第一ルーバー部の最上部にあるルーバー羽根の位置から最下部にあるルーバー羽根の位置までの範囲に限定されるため、当該取り付け位置について、自由度が少ないという問題があった。例えば、第一ルーバー部が高い位置にある場合には、当該自由度の少なさが原因となって、第一被操作部材が大人にしか操作できない位置に設けられ、子供が第一被操作部材を操作できない等の不都合が生じていた。
【００３７】
これに対し、本実施の形態に係るルーバーユニット２０においては、第一被操作部材５０を第二ルーバー部２４に設けられたルーバー羽根３０の回動軸３０ｂに取り付けるようにしたから、第一被操作部材５０の取り付け位置に関して自由度の高いルーバーユニット２０等が実現されることとなる。
【００３８】
また、第一移動部材４０を移動させるための第一被操作部材５０に係る構成を、回動軸３０ｂに対して空回りする構成としたため、第一被操作部材５０を第二ルーバー部２４に設けられたルーバー羽根３０の回動軸３０ｂに取り付けたときに発生し得る以下の問題を回避することが可能となる。
【００３９】
すなわち、第一被操作部材５０を第二ルーバー部２４に設けられたルーバー羽根３０の回動軸３０ｂに固定して取り付けたときには（換言すれば、本実施の形態に係る第二移動部材４５のような取り付け方をしたときには）、第一ルーバー部２２に設けられた複数のルーバー羽根３０を開閉させるために第一被操作部材５０が操作された際に、当該複数のルーバー羽根３０だけではなく、第二ルーバー部２４に設けられ第一被操作部材５０が取り付けられているルーバー羽根３０も開閉してしまう（このことが、従来、第一被操作部材を、第一ルーバー部に設けられたルーバー羽根の回動軸に取り付けるようにしていた理由と考えられる）。これに対し、本実施の形態においては、第一被操作部材５０が回動軸３０ｂに対し空回りするため、第一ルーバー部２２に設けられた複数のルーバー羽根３０を開閉させるために第一被操作部材５０が操作された際に、第二ルーバー部２４に設けられ第一被操作部材５０が取り付けられているルーバー羽根３０も開閉してしまうという問題は生じないこととなる。
【００４０】
つまり、本実施の形態に係るルーバーユニット２０においては、第一被操作部材５０に係る構成を回動軸３０ｂに対して空回りする構成として、上記問題を回避することにより、第一被操作部材５０を第二ルーバー部２４に設けられたルーバー羽根３０の回動軸３０ｂに取り付けることが問題なく実現されるので、第一被操作部材５０の取り付け位置に関して自由度の高いルーバーユニット２０、該ルーバーユニット２０を備えた窓ユニット１０が提供されることとなる。
【００４１】
また、本実施の形態においては、第二ルーバー部２４は、第一ルーバー部２２よりも下方に位置し、ルーバーユニット２０は、移動することにより、第二ルーバー部２４に設けられた複数のルーバー羽根３０の各々を連動させて複数の該ルーバー羽根３０を一体的に開閉させるための第二移動部材４５と、第二ルーバー部２４に設けられたルーバー羽根３０の回動軸３０ｂに取り付けられており、操作されることにより該回動軸３０ｂを回動させながら回って、第二移動部材４５を移動させるための第二被操作部材５５と、を備えることとした。すなわち、本実施の形態においては、より低い位置に位置する第二ルーバー部２４、に設けられたルーバー羽根３０の回動軸３０ｂに、第一被操作部材５０と第二被操作部材５５を取り付けることとした。したがって、大人だけでなく子供でも第一被操作部材５０や第二被操作部材５５を操作することが可能となる。
【００４２】
また、本実施の形態においては、第一被操作部材５０が、第二被操作部材５５が取り付けられているルーバー羽根３０、に取り付けられていることとしたため、上下方向（高さ方向）において最も理想的な位置に、第一被操作部材５０と第二被操作部材５５の双方を位置させることができる。
【００４３】
また、本実施の形態において、第二被操作部材５５は、ルーバー羽根３０の長手方向における該ルーバー羽根３０の羽根本体３０ａの両外側部３２、のうちのどちらか一方の外側部３２ａに取り付けられており、第一被操作部材５０は、前記両外側部３２のうち第二被操作部材が取り付けられている方の外側部３２ａに取り付けられていることとしたため、上下方向（高さ方向）だけでなく上下方向に交差する交差方向（左右方向）においても最も理想的な位置に、第一被操作部材５０と第二被操作部材５５の双方を位置させることができる。
【００４４】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００４５】
また、上記実施の形態においては、中骨がないルーバーユニット２０を例に挙げて説明したが、これに限定されるものではなく、本発明は、中骨があるルーバーユニット２０にも適用可能である。
【００４６】
また、上記実施の形態に係るルーバーユニット２０においては、第一ルーバー部２２と第二ルーバー部２４が隣接していることとしたが、これに限定されるものではない。例えば、図９に示すように、第一ルーバー部２２と第二ルーバー部２４が隣接しておらず、双方の間に壁があってもよい。また、窓ユニット１０において、ルーバーユニット２０がかかる構成を有している場合には、窓１２として、第一ルーバー部２２に対応した上窓と第二ルーバー部２４に対応した下窓とが備えられており、当該上窓と当該下窓の間には、壁があることとしてもよい。
【００４７】
また、上記実施の形態に係るルーバーユニット２０には、二つのルーバー部のみが備えられていることとしたが、これに限定されるものではなく、三つ以上のルーバー部が備えられていることとしてもよい。
【００４８】
また、上記実施の形態に係るルーバーユニット２０において、ルーバー羽根３０の数は２０枚であったが、これに限定されるものではなく、ルーバー羽根３０の数は何枚であっても構わない。また、第二ルーバー部２４に設けられたルーバー羽根３０の数は、第一ルーバー部２２に設けられたルーバー羽根３０の数の３倍であることとしたが、双方の比率はこれに限定されるものではない。
【００４９】
また、上記実施の形態においては、第一被操作部材５０及び第二被操作部材５５の上下方向及び該上下方向に交差する交差方向における理想的な位置が、第１７ルーバー羽根３０の長手方向における該第１７ルーバー羽根３０の羽根本体３０ａの両外側部３２、のうちの一方の外側部３２ａであることとして、第一被操作部材５０及び第二被操作部材５５が当該外側部３２ａに位置する例を挙げたが、第一被操作部材５０及び第二被操作部材５５の位置は、ここに限定されるものではない。
【００５０】
また、上記実施の形態においては、より低い位置に位置する第二ルーバー部２４、に設けられたルーバー羽根３０の回動軸３０ｂに、第一被操作部材５０と第二被操作部材５５を取り付けることとしたが、これに限定されるものではない。例えば、より高い位置に位置する第一ルーバー部２２、に設けられたルーバー羽根３０の回動軸３０ｂに、第一被操作部材５０と第二被操作部材５５を取り付けることとしてもよい。
【００５１】
また、上記実施の形態においては、第一被操作部材５０が、第二被操作部材５５が取り付けられているルーバー羽根３０（すなわち、第１７ルーバー羽根３０）、に取り付けられていることとしたが、これに限定されるものではない。例えば、第一被操作部材５０が、第二被操作部材５５が取り付けられているルーバー羽根３０（すなわち、第１７ルーバー羽根３０）、の一つ上方のルーバー羽根３０（すなわち、第１６ルーバー羽根３０）に取り付けられていることとしてもよい。
【００５２】
また、上記実施の形態において、第二被操作部材５５は、第１７ルーバー羽根３０の長手方向における該第１７ルーバー羽根３０の羽根本体３０ａの両外側部３２、のうちのどちらか一方の外側部３２ａに取り付けられており、第一被操作部材５０は、前記両外側部３２のうち第二被操作部材５５が取り付けられている方の外側部３２ａに取り付けられていることとしたが、これに限定されるものではない。例えば、第二被操作部材５５が、当該両外側部３２のうちの一方の外側部３２ａに取り付けられている一方で、第一被操作部材５０は、当該両外側部３２のうちの他方の外側部に取り付けられていることとしてもよい。
【図面の簡単な説明】
【００５３】
【図１】本実施形態に係る窓ユニットの概略図である。
【図２】本実施形態に係るルーバーユニットの概略正面図である。
【図３】本実施の形態に係る開閉機構を説明するための説明図である。
【図４】第一被操作部材及び第二被操作部材の断面を示した斜視図である。
【図５】開閉機構が縦枠に収容されている様子を示した側面図である。
【図６】開閉機構が縦枠に収容されている様子を示した上面図である。
【図７】図７Ａ乃至図７Ｃは、第二ルーバー部に設けられた１５枚のルーバー羽根が一体的に開く様子を示した図である。
【図８】図８Ａ乃至図８Ｃは、第一ルーバー部に設けられた５枚のルーバー羽根が一体的に開く様子を示した図である。
【図９】その他の実施形態に係る窓ユニットの概略図である。
【符号の説明】
【００５４】
１０  窓ユニット、１２  窓、２０  ルーバーユニット、
２２  第一ルーバー部、２４  第二ルーバー部、３０  ルーバー羽根、
３０ａ  羽根本体、３０ｂ  回動軸、３２  両外側部、３２ａ  一方の外側部、
４０  第一移動部材、４５  第二移動部材、
５０  第一被操作部材、５５  第二被操作部材
【図１】
2008144445.tif 000003
【図２】
2008144445.tif 000004
【図３】
2008144445.tif 000005
【図４】
2008144445.tif 000006
【図５】
2008144445.tif 000007
【図６】
2008144445.tif 000008
【図７】
2008144445.tif 000009
【図８】
2008144445.tif 000010
【図９】
2008144445.tif 000011